【事件の表示】
　商願２００３−１３１２８拒絶査定不服審判事件について，次のとおり審決する。
【結　論】
　原査定を取り消す。
　本願商標は，登録すべきものとする。
【理　由】
１　本願商標 
　本願商標は，後掲（１）のとおりの構成よりなり，第９類，第１６類，第２１類，第２４類，第２５類及び第２８類に属する願書記載のとおりの商品を指定商品として，平成１５年２月２０日に登録出願されたものである。
　そして，願書記載の指定商品については，当審における平成１８年５月１日受付及び同１８年５月１６日受付の手続補正書により，第９類「携帯電話機用ストラップその他の電話機用付属品，その他の電気通信機械器具，耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電子応用機械器具及びその部品，磁心，抵抗線，電極，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ，電子出版物」，第１６類「金属壁に紙片を保持するための装飾磁石，画鋲代用の磁石付き止め具，事務用又は家庭用ののり及び接着剤，封ろう，印刷用インテル，活字，青写真複写機，あて名印刷機，印字用インクリボン，自動印紙はり付け機，事務用電動式ホッチキス，事務用封かん機，消印機，製図用具，タイプライター，チェックライター，謄写版，凸版複写機，文書細断機，郵便料金計器，輪転謄写機，マーキング用孔開型板，電気式鉛筆削り，装飾塗工用ブラシ，紙製幼児用おしめ，紙製包装用容器，家庭用食品包装フィルム，紙製ごみ収集用袋，プラスチック製ごみ収集用袋，型紙，裁縫用チャコ，紙製のぼり，紙製旗，観賞魚用水槽及びその附属品，衛生手ふき，紙製タオル，紙製テーブルナプキン，紙製手ふき，紙製ハンカチ，荷札，印刷したくじ（おもちゃを除く。），紙製テーブルクロス，紙類，文房具類，印刷物，書画，写真，写真立て」，第２１類「食器類（貴金属製のものを除く。），携帯用アイスボックス，米びつ，食品保存用ガラス瓶，水筒，魔法瓶，食品保存用プラスチック容器，デンタルフロス，ガラス基礎製品（建築用のものを除く。），かいばおけ，家禽用リング，魚ぐし，おけ用ブラシ，金ブラシ，管用ブラシ，工業用はけ，船舶ブラシ，家事用手袋，ガラス製又は陶磁製の包装用容器，なべ類，コーヒー沸かし（電気式又は貴金属製のものを除く。），鉄瓶，やかん，アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，アイロン台，霧吹き，こて台，へら台，湯かき棒，浴室用腰掛け，浴室用手おけ，ろうそく消し及びろうそく立て（貴金属製のものを除く。），家庭用燃え殻ふるい，石炭入れ，はえたたき，ねずみ取り器，植木鉢，家庭園芸用の水耕式植物栽培器，じょうろ，愛玩動物用食器，愛玩動物用ブラシ，犬のおしゃぶり，小鳥かご，小鳥用水盤，洋服ブラシ，寝室用簡易便器，トイレットペーパーホルダー，貯金箱（金属製のものを除く。），お守り，おみくじ，紙タオル取り出し用金属製箱，靴脱ぎ器，せっけん用ディスペンサー，花瓶及び水盤（貴金属製のものを除く。），風鈴，ガラス製又は磁器製の立て看板，香炉，靴ブラシ，靴べら，靴磨き布，軽便靴クリーナー，シューツリー，コッフェル，ブラシ用豚毛」，第２４類「タオル，布製身の回り品，織物，メリヤス生地，フェルト及び不織布，オイルクロス，ゴム引防水布，ビニルクロス，ラバークロス，レザークロス，ろ過布，かや，敷布，布団，布団カバー，布団側，まくらカバー，毛布，織物製テーブルナプキン，ふきん，シャワーカーテン，のぼり及び旗（紙製のものを除く。），織物製トイレットシートカバー，織物製いすカバー，織物製壁掛け，カーテン，テーブル掛け，どん帳，遺体覆い，経かたびら，黒白幕，紅白幕，ビリヤードクロス，布製ラベル」，第２５類「ティーシャツ，スポーツシャツ，帽子，靴下，その他の被服，履物，仮装用衣服，運動用特殊衣服，運動用特殊靴」及び第２８類「おもちゃ，人形，スキーワックス，遊園地用機械器具（業務用テレビゲーム機を除く。），愛玩動物用おもちゃ，囲碁用具，歌がるた，将棋用具，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，運動用具，釣り具，昆虫採集用具」に補正されたものである。
　　
２　原査定の引用商標
　原査定において，本願拒絶の理由に引用した登録第１８３４９９０号商標（以下「引用商標１」という。）は，「ＣＯＵＣＯＵ」の文字を書してなり，昭和５３年２月１７日に登録出願，第２４類に属する商品を指定商品として同６１年１月２４日に設定登録され，平成９年２月２７日に商標権存続期間の更新登録がなされたものである。
　そして，その指定商品については，商標登録の一部取消審判により，指定商品中「運動具（乗馬用具および乗馬ぐつを除く）」について取り消すべき旨の審決がされ，その指定商品は，第２４類に属する商標登録原簿記載のとおりとなっているものである。
　同じく，登録第２０８００７１号商標（以下「引用商標２」という。）は，「ク・クゥ」の文字を書してなり，昭和５６年９月２２日に登録出願，第２４類に属する商品を指定商品として，同６３年９月３０日に設定登録され，平成１０年１０月２０日に商標権存続期間の更新登録がなされたものである。
　そして，その指定商品については，商標登録の一部取消審判により，指定商品中「運動具（乗馬用具および乗馬ぐつを除く）」について取り消すべき旨の審決がされ，その指定商品は，第２４類に属する商標登録原簿記載のとおりとなっているものである。
　同じく，登録第２１１６４８０号商標（以下「引用商標３」という。）は，後掲（２）のとおり「ク・クゥ」及び「Ｃｏｕｃｏｕ」の文字を書してなり，昭和５６年９月２２日に登録出願，第２４類に属する商品を指定商品として，平成元年２月２１日に設定登録され，平成１１年３月１６日に商標権存続期間の更新登録がなされたものである。
　そして，その指定商品については，商標登録の一部取消審判により，指定商品中「運動具（乗馬用具および乗馬ぐつを除く）」について取り消すべき旨の審決がされ，その指定商品は，第２４類に属する商標登録原簿記載のとおりとなっているものである。
　同じく，登録第２２３７９９０号商標（以下「引用商標４」という。）は，「クウ」及「ＫＯＯ」の文字を二段に横書してなり，昭和６２年１０月７日に登録出願，第１２類に属する商品を指定商品として，平成２年６月２８日に設定登録され，同１２年４月１８日に商標権存続期間の更新登録がなされたものである。
　同じく，登録第２３１０５０８号商標（以下「引用商標５」という。）は，「ク−」及び「ＣＯＯ！」の文字を二段に横書してなり，平成元年３月２９日に登録出願，第１９類に属する商品を指定商品として，同３年５月３１日に設定登録され，同１３年５月２２日に商標権存続期間の更新登録がなされたものである。
　そして，その指定商品については，平成１３年１１月２８日に指定商品の書換登録がなされた結果，その指定商品は，第２１類に属する商標登録原簿記載のとおりとなっているものである。
　同じく，登録第２３５４０９４号商標（以下「引用商標６」という。）は，「ク−」及び「ＣＯＯ」の文字を二段に横書してなり，平成元年８月８日に登録出願，第２１類に属する商品を指定商品として，同３年１１月２９日に設定登録され，同１４年１月２９日に商標権存続期間の更新登録がなされたものである。
　そして，その指定商品については，平成１４年１１月２０日に指定商品の書換登録がなされた結果，その指定商品は，第１４類，第１８類及び第２５類に属する商標登録原簿記載のとおりとなっているものである。
　同じく，登録第２３６７６４３号商標（以下「引用商標７」という。）は，「ク−」及び「ＣＯＯ！」の文字を二段に横書してなり，平成元年３月２９日に登録出願，第１７類に属する商品を指定商品として，同３年１２月２５日に設定登録され，同１３年１０月３０日に商標権存続期間の更新登録がなされたものである。
　そして，その指定商品については，平成１４年５月１日に指定商品の書換登録がなされた結果，その指定商品は，第２４類及び第２５類に属する商標登録原簿記載のとおりとなっているものである。
　同じく，登録第２３９６９４４号商標（以下「引用商標８」という。）は，「ク−」及び「ＣＯＯ！」の文字を二段に横書してなり，平成元年３月２９日に登録出願，第２６類に属する商品を指定商品として，同４年３月３１日に設定登録され，同１４年１月１５日に商標権存続期間の更新登録がなされたものである。
　そして，その指定商品については，平成１４年５月２２日に指定商品の書換登録がなされた結果，その指定商品は，第６類，第９類，第１６類，第１９類及び第２０類に属する商標登録原簿記載のとおりとなっているものである。
　同じく，登録第２４７４９６１号商標（以下「引用商標９」という。）は，「クークー」の文字を横書してなり，平成元年６月３０日に登録出願，第２５類に属する商品を指定商品として，同４年１１月３０日に設定登録されたものである。
　同じく，登録第２６６４０５１号商標（以下「引用商標１０」という。）は，「ＫＵｕ」の文字を横書してなり，平成２年１１月１６日に登録出願，第１１類に属する商品を指定商品として，同６年５月３１日に設定登録されたものである。
　同じく，登録第２６６４０５２号商標（以下「引用商標１１」という。）は，「クゥー」の文字を横書してなり，平成２年１１月１６日に登録出願，第１１類に属する商品を指定商品として，同６年５月３１日に設定登録されたものである。
　同じく，登録第３０５８７９１号商標（以下「引用商標１２」という。）は，「ク−」及び「ＣＯＯ」の文字を二段に横書してなり，平成４年４月２２日に登録出願，第１６類に属する商品を指定商品として，同７年７月３１日に設定登録されたものである。
　同じく，登録第３０９８１７８号商標（以下「引用商標１３」という。）は，「ク−」及び「ＣＯＯ」の文字を二段に横書してなり，平成４年４月２２日に登録出願，第２８類に属する商品を指定商品として，同７年１１月３０日に設定登録されたものである。
　同じく，登録第４１４４４５３号商標（以下「引用商標１４」という。）は，後掲（３）のとおり「クークー」及び「ＣＯＵＣＯＵ」の文字を二段に横書してなり，平成８年１２月１６日に登録出願，第２５類に属する商品を指定商品として，同１０年５月１５日に設定登録されたものである。
　同じく，登録第４１９１１６１号商標（以下「引用商標１５」という。）は，後掲（４）のとおり「ククー」及び「ＣＯＵＣＯＵ」の文字を書してなり，平成８年１２月１８日に登録出願，第１６類に属する商品を指定商品として，同１０年９月２５日に設定登録されたものである。
　同じく，登録第４２９０４５７号商標（以下「引用商標１６」という。）は，「ＫＯＯＫＯＯ」及び「クークー」の文字を二段に横書してなり，平成６年７月６日に登録出願，第２５類に属する商品を指定商品として，同１１年７月２日に設定登録されたものである。
　同じく，登録第４３９５５６７号商標（以下「引用商標１７」という。）は，「ク・クゥ」及び「ＣＯＵＣＯＵ」の文字を二段に横書してなり，平成１１年８月２３日に登録出願，第２８類に属する商品を指定商品として，同１２年６月３０日に設定登録されたものである。
　同じく，登録第４４０９０２６号商標（以下「引用商標１８」という。）は，「ク・クゥ」の文字を横書してなり，平成１１年９月６日に登録出願，第２５類に属する商品を指定商品として，同１２年８月１８日に設定登録されたものである。
　同じく，登録第４７９１８７９号商標（以下「引用商標１９」という。）は，後掲（５）のとおり「ＣＯＵ　ＣＯＵ」の文字を横書してなり，平成１４年１０月２１日に登録出願，第２４類に属する商品を指定商品として，同１６年８月６日に設定登録されたものである。
　　
３　当審の判断 
　本願の指定商品は，前記１のとおり補正された結果，引用商標４及び引用商標６の指定商品と同一又は類似する商品がすべて削除され，これらの引用商標の指定商品とは，類似しない商品及び役務になったものである。
　また，引用商標９ないし引用商標１１の商標権は，商標登録原簿の記載によれば，平成１４年１１月３０日又は同１６年５月３１日いずれも存続期間満了により消滅しているものである。
　また，引用商標１２及び引用商標１３の商標権は，商標登録原簿の記載によれば，指定商品の全てについて商標登録を取り消すべき旨の審決が確定し，各指定商品についての確定審決の登録がそれぞれ平成１６年１月６日，同１６年１月９日，同１６年１月１５日及び同１６年１月２１日にされているものである。
　また，引用商標５，引用商標７及び引用商標８の商標権は，，商標登録原簿の記載によれば，請求人（出願人）が譲渡により取得し，その移転の登録がそれぞれ平成１５年１２月５日にされているものであるから，本願の請求人（出願人）と引用商標５，引用商標７及び引用商標８の商標権者は同一人になったものである。
　したがって，引用商標４ないし引用商標１３について，本願商標が商標法第４条第１項第１１号に該当するとして本願を拒絶した原査定の拒絶の理由は，解消した。
　次に，本願商標と，引用商標１ないし引用商標３，引用商標１４ないし引用商標１９（以下，「引用各商標」という。）の類否について検討する。
　本願商標は，後掲（１）のとおり，その構成中に「クー」及び「Ｑｏｏ」の文字を有してなるところ，全体の構成より，当該仮名文字部分が欧文字部分の称呼を特定すべき役割を果たすものと無理なく認識できるものであって，当該仮名文字部分より生ずる称呼がその商標より生ずる自然の称呼と見るのが相当であるから，本願商標からは，「クー」の称呼を生ずるものと認められる。
　他方，引用各商標からは，それそれの構成文字に相応して，「コーコー」，「クークー」，「ククウ」又は「ククー」の称呼を生ずるものと認められる。
　そして，本願商標の「クー」の称呼と，引用各商標の「コーコー」，「クークー」，「ククウ」又は「ククー」の各称呼とは，相違する音構成の差等により十分聴別できるものである。
　また，本願商標と引用各商標は，前記１及び前記２のとおり，それぞれの構成より見て，外観，観念においても相紛れるおそれはない。
　してみれば，本願商標と引用各商標とは，その外観，称呼及び観念のいずれより見ても，相紛れるおそれのない非類似の商標といわなければならない。
　したがって，本願商標を商標法第４条第１項第１１号に該当するとして拒絶した原査定は，妥当でなく，取消しを免れない。
　その他，政令で定める期間内に本願を拒絶すべき理由を発見しない。
　よって，結論のとおり審決する。